【手続補正書】
【提出日】平成18年10月2日(2006.10.2)
【手続補正１】
【補正対象書類名】明細書
【補正対象項目名】特許請求の範囲
【補正方法】変更
【補正の内容】
【特許請求の範囲】
【請求項１】  物体側より順に配置された正の屈折力の第１群、負の屈折力の第２群、正の屈折力の第３群、そして正の屈折力の第４群の４つのレンズ群から構成され、該第２群を像面側へ移動させて広角端から望遠端への変倍を行い、変倍に伴う像面変動を該第４群を移動させて補正すると共に該第４群を移動させてフォーカスを行い、該第１群は２枚の正レンズを有し、該第３群の物体側に絞りを有し、該第３群は物体側に強い凸面を向けた正レンズと、像面側に強い凹面を向けたメニスカス状の負レンズの２枚で構成し、該第４群は物体側に強い凸面を向けた正の単レンズで構成し、広角端及び望遠端における全系の焦点距離を各々ｆｗ、ｆｔ、広角端のＦナンバーをＦＮｏＷ、第２群の焦点距離をｆ２、
【数１】
2001116999.tif 000001
としたとき、
０．２８＜｜ｆ２／ｆＡ｜×ＦＮｏＷ＜０．５２
なる条件式を満足することを特徴とするリアフォーカス式ズームレンズ。
【請求項２】  物体側より順に配置された正の屈折力の第１群、負の屈折力の第２群、正の屈折力の第３群、そして正の屈折力の第４群の４つのレンズ群から構成され、該第２群を像面側へ移動させて広角端から望遠端への変倍を行い、変倍に伴う像面変動を該第４群を移動させて補正すると共に該第４群を移動させてフォーカスを行い、該第３群の物体側に絞りを有し、該第３群は物体側に強い凸面を向けた正レンズと、像面側に強い凹面を向けたメニスカス状の負レンズの２枚で構成し、該第４群は物体側に強い凸面を向けた正の単レンズで構成し、広角端及び望遠端における全系の焦点距離をｆｗ、ｆｔ、広角端のＦナンバーをＦＮｏＷ、第ｉ群の焦点距離をｆｉ、
【数２】
2001116999.tif 000002
としたとき、
０．２８＜｜ｆ２／ｆＡ｜×ＦＮｏＷ＜０．５２
０．６＜ｆ３／ｆ４＜１．２５
なる条件式を満足することを特徴とするリアフォーカス式ズームレンズ。
【請求項３】  前記第ｉ群の焦点距離をｆｉとしたとき、
０．６＜ｆ３／ｆ４＜１．２５
なる条件式を満足することを特徴とする請求項１のリアフォーカス式ズームレンズ。
【請求項４】  物体側より順に配置された正の屈折力の第１群、負の屈折力の第２群、正の屈折力の第３群、そして正の屈折力の第４群の４つのレンズ群から構成され、該第２群を像面側へ移動させて広角端から望遠端への変倍を行い、変倍に伴う像面変動を該第４群を移動させて補正すると共に該第４群を移動させてフォーカスを行い、該第３群の物体側に絞りを有し、該第３群は物体側に強い凸面を向けた正レンズと、像面側に強い凹面を向けたメニスカス状の負レンズの２枚で構成し、該第４群は物体側に強い凸面を向けた正の単レンズで構成し、該第２群の最も物体側の負レンズの媒質の屈折率をＮ２ｆとおいたとき、
１．８０＜Ｎ２ｆ＜１．９５
なる条件式を満足することを特徴とするリアフォーカス式ズームレンズ。
【請求項５】  広角端及び望遠端における全系の焦点距離をｆｗ、ｆｔ、広角端のＦナンバーをＦＮｏＷ、第２群の焦点距離をｆ２、
【数３】
2001116999.tif 000003
としたとき、
０．２８＜｜ｆ２／ｆＡ｜×ＦＮｏＷ＜０．５２
なる条件式を満足することを特徴とする請求項４のリアフォーカス式ズームレンズ。
【請求項６】  前記第３群の最も像面側に配置されたメニスカス状の負レンズの像面側のレンズ面の曲率半径をＲｒ、該第３群の最も像面側に配置されたメニスカス状の負レンズの媒質の屈折率をＮｒ、該第３群の最も物体側のレンズ面から最も像面側のレンズ面までの光軸上の距離をＤ３、広角端のＦナンバーをＦＮｏＷ、広角端と望遠端の全系の焦点距離をｆｗ、ｆｔ、
【数４】
2001116999.tif 000004
としたとき、
０．３＜Ｒｒ／｛（Ｎｒ−１）×ｆＡ｝＜０．７
【数５】
2001116999.tif 000005
の条件を満足することを特徴とする請求項１から５のいずれか１項のリアフォーカス式ズームレンズ。
【請求項７】  前記第２群は２枚以上の負レンズと１枚の正レンズから構成されていることを特徴とする請求項１から６のいずれか１項のリアフォーカス式ズームレンズ。
【請求項８】  前記第２群は、物体側より順に像面側に強い凹面を向けた負の第２１レンズ、両レンズ面が凹面の負の第２２レンズ、物体側に強い凸面を向けた正の第２３レンズにより構成されることを特徴とする請求項７のリアフォーカス式ズームレンズ。
【請求項９】  前記第２群の両レンズ面が凹面の負の第２２レンズと物体側に強い凸面を向けた正の第２３レンズは接合されていることを特徴とする請求項８のリアフォーカス式ズームレンズ。
【請求項１０】  前記第２群は非球面を有していることを特徴とする請求項１から９のいずれか１項のリアフォーカス式ズームレンズ。
【請求項１１】  前記第２群の非球面の光軸近傍での曲率半径をＲ０、該第２群の焦点距離をｆ２としたとき、
１．０＜｜Ｒ０／ｆ２｜＜４．０
の条件式を満足することを特徴とする請求項１０のリアフォーカス式ズームレンズ。
【請求項１２】  前記第３群または前記第４群は非球面を有していることを特徴とする請求項１から１１のいずれか１項のリアフォーカス式ズームレンズ。
【請求項１３】  広角端と望遠端における全系の焦点距離を各々ｆｗ、ｆｔ、
【数６】
2001116999.tif 000006
とし、物体側の第１レンズ面から近軸像面までの距離をＬとおいたとき（ただし、最も像面側に配置したローパスフィルター等のダミーガラスは、空気に換算した値である。）、
２．７＜Ｌ／ｆＡ＜３．９
なる条件式を満足することを特徴とする請求項１から１２のいずれか１項のリアフォーカス式ズームレンズ。
【請求項１４】  請求項１から１３のいずれか１項のリアフォーカス式ズームレンズを有することを特徴とする光学機器。
【手続補正２】
【補正対象書類名】明細書
【補正対象項目名】００１１
【補正方法】変更
【補正の内容】
【００１１】
【課題を解決するための手段】
請求項１の発明のリアフォーカス式ズームレンズは、
物体側より順に配置された正の屈折力の第１群、負の屈折力の第２群、正の屈折力の第３群、そして正の屈折力の第４群の４つのレンズ群から構成され、該第２群を像面側へ移動させて広角端から望遠端への変倍を行い、変倍に伴う像面変動を該第４群を移動させて補正すると共に該第４群を移動させてフォーカスを行い、該第１群は２枚の正レンズを有し、該第３群の物体側に絞りを有し、該第３群は物体側に強い凸面を向けた正レンズと、像面側に強い凹面を向けたメニスカス状の負レンズの２枚で構成し、該第４群は物体側に強い凸面を向けた正の単レンズで構成し、広角端及び望遠端における全系の焦点距離を各々ｆｗ、ｆｔ、広角端のＦナンバーをＦＮｏＷ、第２群の焦点距離をｆ２、
【数７】
2001116999.tif 000007
としたとき、
０．２８＜｜ｆ２／ｆＡ｜×ＦＮｏＷ＜０．５２
なる条件式を満足することを特徴としている。
【手続補正３】
【補正対象書類名】明細書
【補正対象項目名】００１４
【補正方法】変更
【補正の内容】
【００１４】
請求項２の発明のリアフォーカス式ズームレンズは、
物体側より順に配置された正の屈折力の第１群、負の屈折力の第２群、正の屈折力の第３群、そして正の屈折力の第４群の４つのレンズ群から構成され、該第２群を像面側へ移動させて広角端から望遠端への変倍を行い、変倍に伴う像面変動を該第４群を移動させて補正すると共に該第４群を移動させてフォーカスを行い、該第３群の物体側に絞りを有し、該第３群は物体側に強い凸面を向けた正レンズと、像面側に強い凹面を向けたメニスカス状の負レンズの２枚で構成し、該第４群は物体側に強い凸面を向けた正の単レンズで構成し、広角端及び望遠端における全系の焦点距離をｆｗ、ｆｔ、広角端のＦナンバーをＦＮｏＷ、第ｉ群の焦点距離をｆｉ、
【数８】
2001116999.tif 000008
としたとき、
０．２８＜｜ｆ２／ｆＡ｜×ＦＮｏＷ＜０．５２
０．６＜ｆ３／ｆ４＜１．２５
なる条件式を満足することを特徴としている。
【手続補正４】
【補正対象書類名】明細書
【補正対象項目名】００１８
【補正方法】変更
【補正の内容】
【００１８】
請求項４の発明のリアフォーカス式ズームレンズは、
物体側より順に配置された正の屈折力の第１群、負の屈折力の第２群、正の屈折力の第３群、そして正の屈折力の第４群の４つのレンズ群から構成され、該第２群を像面側へ移動させて広角端から望遠端への変倍を行い、変倍に伴う像面変動を該第４群を移動させて補正すると共に該第４群を移動させてフォーカスを行い、該第３群の物体側に絞りを有し、該第３群は物体側に強い凸面を向けた正レンズと、像面側に強い凹面を向けたメニスカス状の負レンズの２枚で構成し、該第４群は物体側に強い凸面を向けた正の単レンズで構成し、該第２群の最も物体側の負レンズの媒質の屈折率をＮ２ｆとおいたとき、
１．８０＜Ｎ２ｆ＜１．９５
なる条件式を満足することを特徴としている。